(57)【要約】【課題】組付け性及びシール性を低下することなく、組み付け作業を容易化でき、自動化も容易化可能なシールリングを有するスタータ用マグネットスイッチを提供すること。【解決手段】接点カバー５の前端面とステーショナリコア１２との間に挟設されるシールリング１００を、接点カバー５とステーショナリコア１２との間で軸方向に強く圧縮される部分である厚肉の外側リング部と、外側リング部から径方向内側へ延設され接点カバー５とステーショナリコア１２との間にほとんど軸方向に挟圧されずに介設される薄肉の内側延在部とを設け、この外側リング部１０１と内側端面部５２とを連ねてシールリング１００をシート形状に形成する。これにより、作業性を向上することができる。【選択図】図１
2006170099.tif 000002
【特許請求の範囲】
【請求項１】
径方向に延在する磁路部材としてのステーショナリコアを有するスイッチ本体部と、前記スイッチ本体部により駆動される可動接点部材及びこの可動接点部材に接離可能な固定接点部材を収容するための凹部を有して前記スイッチ本体部に係止される接点カバーと、前記接点カバーのステーショナリコア側の一端面と前記ステーショナリコアの外端面との間に挟設されるシールリングとを備えるスタータ用マグネットスイッチにおいて、
前記接点カバーの一端面は、
前記シールリングをその厚さ方向に圧縮しつつ少なくとも前記凹部を囲んで前記ステーショナリコアの外端面に押接されるリング状の外側端面部と、
前記シールリングをその厚さ方向に圧縮することなく前記外周部から径方向内側に延在する内側端面部と、
を有し、
前記シールリングは、
前記接点カバーの外側端面部と前記ステーショナリコアの外端面に挟圧される厚肉の外側リング部と、
前記外側リング部から径方向内側へ延設されて前記接点カバーの内側端面部と前記ステーショナリコアの外端面との間に介設される薄肉の内側延在部と、
を有することを特徴とするスタータ用マグネットスイッチ。
【請求項２】
請求項１記載のスタータ用マグネットスイッチにおいて、
前記シールリングの外側リング部の径方向内端は、径方向内側に曲げられてなる径内向きの湾曲部を複数有し、
前記シールリングの内側延在部は、周方向に隣接する一対の湾曲部を連ねて形成されていることを特徴とするスタータ用マグネットスイッチ。
【請求項３】
請求項２記載のスタータ用マグネットスイッチにおいて、
前記シールリングの内側延在部は、前記湾曲部とともに前記凹部を前記シールリングの全周にわたって囲んで配置されていることを特徴とするスタータ用マグネットスイッチ。
【請求項４】
請求項１乃至３のいずれか記載のスタータ用マグネットスイッチにおいて、
前記シールリングの内側延在部は、その両面とも前記シールリングの外側リング部よりも窪んでいることを特徴とするスタータ用マグネットスイッチ。
【請求項５】
請求項１乃至４のいずれか記載のスタータ用マグネットスイッチにおいて、
前記外側リング部は、
前記径内向き湾曲部の位置にて前記スイッチ本体部の励磁コイルへの給電用のコイル引き出し線が軸方向に貫通するコイル端子引き出し孔、及び、前記スイッチ本体部の端面に前記接点カバーの一端面の一部を前記シールリングを介することなく当接させるための位置決め孔とを囲繞して形成されていることを特徴とするスタータ用マグネットスイッチ。
【請求項６】
径方向に延在する磁路部材としてのステーショナリコアを有するスイッチ本体部と、前記スイッチ本体部により駆動される可動接点部材及びこの可動接点部材に接離可能な固定接点部材を収容するための凹部を有して前記スイッチ本体部に係止される接点カバーと、前記接点カバーのステーショナリコア側の一端面と前記ステーショナリコアの外端面との間に挟設されるシールリングとを備えるスタータ用マグネットスイッチにおいて、
前記接点カバーの一端面は、
前記シールリングをその厚さ方向に圧縮しつつ少なくとも前記凹部を囲んで前記ステーショナリコアの外端面に押接されるリング状の外側端面部と、
前記シールリングをその厚さ方向に圧縮することなく前記外周部から径方向内側に延在するとともに前記外側端面部よりも径方向内側に位置して凹んで形成される内側端面部と、
を有し、
前記シールリングは、
前記接点カバーの外側端面部と前記ステーショナリコアの外端面との間の他に、前記接点カバーの内側端面部と前記ステーショナリコアの外端面との間にも挟設されていることを特徴とするスタータ用マグネットスイッチ。
【発明の詳細な説明】
【技術分野】
【０００１】
本発明はスタータ用マグネットスイッチの改良に関する。
【背景技術】
【０００２】
スタータ用マグネットスイッチとして、径方向に延在する磁路部材としてのステーショナリコアを有するスイッチ本体部と、このスイッチ本体部により駆動される可動接点部材及びこの可動接点部材に接離可能な固定接点部材を収容するための凹部（接点室とも言う）を有してスイッチ本体部に係止される接点カバーと、この接点カバーのステーショナリコア側の一端面とステーショナリコアの外端面との間に挟設されるゴム製のシールリングとを備える構造のものが例えば、下記の特許文献１に記載されている。
【０００３】
このスタータ用マグネットスイッチでは、シールリングは一定厚さを有して図５、図６に示す形状に形成され、接点カバーは、スイッチ本体部の開口端にかしめ固定されている。なお、図５、図６において、２００はシールリング、２０１は接点カバーの接点室の開口を確保するためかつ接点カバーのステーショナリコア当接用の突部が貫通するための孔、２０２、２０３はコイル引き出し線貫通用の孔である。
【特許文献１】特許第3152248号公報
【発明の開示】
【発明が解決しようとする課題】
【０００４】
しかしながら、上記した特許文献１記載の上記シールリングなどの従来のスタータ用マグネットスイッチ用のシールリングを用いてスタータ用マグネットスイッチを組み立てる場合、シールリングの中央部には、接点室に可動接点部材を収容するための大きな開口をもつため、組み付け時にシールリングが組み付けに好適な形状から大きく変形してしまい、手動、自動のどちらの組付工程においても作業がやりにくく、組み付け性の改善の余地があった。
【０００５】
これを改善するために、シールリングの厚さを厚くしてその剛性を上げるが考えられるが、この場合には、接点カバーをスイッチ本体部にかしめる際に接点カバーをスイッチ本体部に押しつける力（かしめ荷重）が大きくなり、作業がやりにくく、また、かしめた後のシールリングの弾性変形が十分でなく、シール性が低下する可能性も生じる懸念も生じた。
【０００６】
本発明は上記問題点に鑑みなされたものであり、組付け性及びシール性を低下することなく、組み付け作業を容易化できるシールリングを有するスタータ用マグネットスイッチを提供することをその目的としている。
【課題を解決するための手段】
【０００７】
上記課題を解決する第１発明のスタータ用マグネットスイッチは、径方向に延在する磁路部材としてのステーショナリコアを有するスイッチ本体部と、前記スイッチ本体部により駆動される可動接点部材及びこの可動接点部材に接離可能な固定接点部材を収容するための凹部を有して前記スイッチ本体部に係止される接点カバーと、前記接点カバーのステーショナリコア側の一端面と前記ステーショナリコアの外端面との間に挟設されるシールリングとを備えるスタータ用マグネットスイッチにおいて、
前記接点カバーの一端面は、前記シールリングをその厚さ方向に圧縮しつつ少なくとも前記凹部を囲んで前記ステーショナリコアの外端面に押接されるリング状の外側端面部と、前記シールリングをその厚さ方向に圧縮することなく前記外周部から径方向内側に延在する内側端面部とを有し、
前記シールリングは、前記接点カバーの外側端面部と前記ステーショナリコアの外端面に挟圧される厚肉の外側リング部と、前記外側リング部から径方向内側へ延設されて前記接点カバーの内側端面部と前記ステーショナリコアの外端面との間に介設される薄肉の内側延在部とを有することを特徴としている。
【０００８】
すなわち、この発明は、シールリングのうち、シールを完成するために接点カバーの外側端面部とステーショナリコアの外端面との間に挟設されて軸方向に圧縮される部分である外側リング部に加えて、この外側リング部から径方向内側に延在する薄肉の内側延在部を追加形成し、この内側延在部を接点カバーの内側端面部とステーショナリコアの外端面との間に介在させた点をその特徴とする。
【０００９】
なお、上記で言う接点カバーの外側端面部とは、接点カバーのステーショナリコア側の一端面のうち、内部シールのためにシールリングの上記外側リング部を軸方向に圧縮する部分を意味するものとする。接点カバーの一端面は、上記外側端面部の他に、この外側端面部からこの外側端面部の径方向内側に延在する。
【００１０】
このようにすれば、シールリングの内側延在部は、接点カバーの内側端面部とステーショナリコアの外端面との間に介設されるものの、外側リング部よりも厚さが薄いため、組み付けの際に外側リング部ほど強く軸方向に圧縮する必要がない。従って、組み付けにおいて、かしめ時に接点カバーをスイッチ本体部に従来より強く押しつける必要が無く、作業性が悪化することがない。また、この発明によれば、内側延在部は、リング状に形成されたシールリングの外側リング部の径方向内側に延在して、実質的にシールリングを全体としてシート状の形状を与えることになるため、組み付け時に、シールリングが所定形状に維持できるので、シールリングの組み付け作業が容易になり、優れた作業性を得ることができる。また、また、シールリングが所定形状を維持しつつ、組み付けが確実にできるので、シールリングが所望の形状で圧縮され、シール性能が低下することはない。更に、かしめにより接点カバーをスイッチ本体部に固定する時のかしめ力を低減できる。
【００１１】
なお、接点カバーの内側端面部は、接点カバーの外側端面部から径方向内側に延在するため、シールリング内部の無駄な空間を減らすこともでき、また、組み付け時にシールリングを容易に目的位置にセットするのもガイドするために必要なものである。
【００１２】
好適な態様において、前記シールリングの外側リング部の径方向内端は、径方向内側に曲げられてなる径内向きの湾曲部を複数有し、前記シールリングの内型延在部は、周方向に隣接する一対の湾曲部を連ねて形成されている。このようにすれば、シールリングの内側延在部は、シールリングの外側リング部のうち、径方向内側に曲がった湾曲部と一体に平面を形成するため、シールリングの形状を一層シート状に近くすることができ、シールリングを所望の形状に維持できる。
【００１３】
好適な態様において、前記シールリングの内側延在部は、前記湾曲部とともに前記凹部を前記シールリングの全周にわたって囲んで配置されている。このようにすれば、シールリングの形状をシート形状とすることができるため、その望ましくない変形を一層抑止することができる。
【００１４】
好適な態様において、前記シールリングの内側延在部は、その両面とも前記シールリングの外側リング部よりも窪んでいる。このようにすれば、シールリングの裏、表を気にすることなく、シールリングを組み付けることができるため、組み付け作業を一層向上することができる。なお、窪み量は両面において同等とすることが好適である。
【００１５】
好適な態様において、前記外側リング部は、前記径内向き湾曲部の位置にて前記スイッチ本体部の励磁コイルへの給電用のコイル引き出し線が軸方向に貫通するコイル端子引き出し孔、及び、前記スイッチ本体部の端面に前記接点カバーの一端面の一部を前記シールリングを介することなく当接させるための位置決め孔とを囲繞して形成されている。このようにすれば、コイル端子引き出し孔や位置決め孔の部位にてシールリングの内側延在部を省略するとともにこれらの孔を囲繞する外側リング部と湾曲部とともにシート形状を形成することができるため、材料を節約することができる。
【００１６】
上記課題を解決する第２発明は、径方向に延在する磁路部材としてのステーショナリコアを有するスイッチ本体部と、前記スイッチ本体部により駆動される可動接点部材及びこの可動接点部材に接離可能な固定接点部材を収容するための凹部を有して前記スイッチ本体部に係止される接点カバーと、前記接点カバーのステーショナリコア側の一端面と前記ステーショナリコアの外端面との間に挟設されるシールリングとを備えるスタータ用マグネットスイッチにおいて、前記接点カバーの一端面が、前記シールリングをその厚さ方向に圧縮しつつ少なくとも前記凹部を囲んで前記ステーショナリコアの外端面に押接されるリング状の外側端面部と、前記シールリングをその厚さ方向に圧縮することなく前記外周部から径方向内側に延在するとともに前記外側端面部よりも径方向内側に位置して凹んで形成される内側端面部とを有し、前記シールリングが、前記接点カバーの外側端面部と前記ステーショナリコアの外端面との間の他に、前記接点カバーの内側端面部と前記ステーショナリコアの外端面との間にも挟設されていることを特徴としている。なお、この発明において、重要なことは、シールリングの内側延在部は、シールリングの外側リング部の全周にわたってシールリングの外側リング部から径方向内側に延設されていることである。これにより、シールリングに実質的にシート形状を与えることができるため、組み付け作業性を向上することができる。
【００１７】
すなわち、この発明は、上記した第１発明のシールリングの内側延在部を外側リング部よりもすこしだけ薄肉化する代わりに、接点カバーの内側端面部を外側端面部よりも少しだけ凹設したものであり、これによりシールリングの軸方向圧縮力を増大することなく、シールリングの組み付け作業時の形状安定性を向上することができる。
【発明を実施するための最良の形態】
【００１８】
本発明のスタータ用マグネットスイッチの好適な実施形態を図面を参照して以下に説明する。ただし、本発明は下記の実施形態に限定されるものではなく、本発明の技術思想を他の公知技術又はそれと必要機能が共通するその他の技術を組み合わせて構成できることはもちろんである。
【００１９】
（実施例）
この実施例のスタータ用マグネットスイッチは、図示しないスタータに一体固定されてこのスタータのモータへの給電を断続制御するとともにピニオン駆動用のレバーも駆動するための装置であって、後述する特徴部分を除いて通常のレバー駆動型のスタータ用マグネットスイッチと本質的な構造及び動作は同じである。
【００２０】
（全体構成の説明）
このスタータ用マグネットスイッチの軸方向断面図を図１に示す。
【００２１】
このスタータ用のマグネットスイッチは、スイッチ本体部１と、スイッチ本体部１の後端面から後方へ突出して軸方向に直動するプランジャ軸２の先端部に固定されてプランジャ軸２の略径方向へ延在する可動接点部材３と、可動接点部材３を軸方向変位自在に収容する凹部（接点室とも言う）４を有してスイッチ本体部１にシールリング１００を挟んでかしめ固定される樹脂製の接点カバー５と、接点カバー５の底部に固定される一対のボルト状の固定接点部材６、７とを有している。
【００２２】
（スイッチ本体部１の説明）
スイッチ本体部１は、ボビン９に二層巻きされた吸引コイル（図示せず）と保持コイル（図示せず）とからなる励磁コイルと、励磁コイルと鎖交して励磁コイルへの通電によって発生する磁束を通すための磁気回路とを有している。
【００２３】
磁気回路は、励磁コイルの外周を覆う有底円筒形のヨーク１１、スイッチ本体部１の後端部にてヨーク１１の開口を閉鎖する向きに配置されるステーショナリコア１２、サブステーショナリコア１２ａ、可動鉄片部材であるプランジャ軸2を有するプランジャ（図示せず）を有している。プランジャは、ボビン９の内周に円筒スリーブに軸方向摺動自在に支持されている。１４は、サブステーショナリコア１２ａとプランジャとの間に配置されてプランジャを前方に付勢するリターンスプリングである。
【００２４】
プランジャ軸２は、プランジャからプランジャ軸心に沿ってステーショナリコア１２を貫通して後方へ突設され、接点室４に配置されている。プランジャ軸２の先端部にはブッシュ１８が軸方向移動可能に設けられ、ブッシュ１８に可動接点部材３が嵌合されて径方向へ延在している。可動接点部材３は、接点スプリング１９により後方へ付勢されている。プランジャ軸２の先端には可動接点部材３の後退（プランジャ軸２の先端側への移動）を規制するストッパ部材としてのワッシャ２０がサークリップ３０によりプランジャ軸２の先端に固定されている。
【００２５】
（シールリング１００の説明）
この実施例の特徴をなすシールリング１００を以下に説明する。
【００２６】
図１において、シールリング１００はヨーク１１の後端開口に嵌入され、更に接点カバー５がヨーク１１の後端開口に嵌入され、接点カバー５を押しつけつつヨーク１１の後端外周をかしめることにより、接点カバー５はスイッチケースを兼ねるヨーク１１に固定されている。シールリング１００は、ゴム製であってステーショナリコア１２の後端面と接点カバー５の前端面との間に挟圧されて接点室４を密閉している。
【００２７】
接点カバー５及びシールリング１００を図２〜図４を参照して詳しく説明する。図２は接点カバー５の前端面を示す正面図、図３はシールリング１００の正面図、図４はシールリング１００のＡ-Ａ線矢視側断面図である。
【００２８】
接点カバー５の前端面５０には、径方向中央部に接点室４を形成する凹部が設けられ、径方向外周部には接点室４を挟んで一対のコイルが接続されたターミナル孔５１、５２が形成されている。また、ステーショナリコア１２との当接のために合計7つの突部５３〜５9が形成されている。接点カバー５の前端面５０は、シールリング１００を軸方向に圧縮する領域である外側端面部６０、６１と、シールリング１００に隣接するにもかかわらずシールリング１００をほとんど軸方向に圧縮しない内側端面部５８とに区分される。接点カバー５の外側端面部５７は、接点室４を囲むために接点カバー５の外周部にリング状に形成されるとともに径方向内側に膨らんでターミナル孔５１、５２の周囲を囲んでいる。接点カバー５の内側端面部６２は、リング状の外側端面部６０の内側で、かつターミナル孔５１、５２の周囲及び突部５３〜５９以外の部分にて形成されている。
【００２９】
シールリング１００は、接点カバー５の外側端面部６０、６１とステーショナリコア１２の後端面（外端面）に挟圧される厚肉のリング状の外側リング部１０１と、外側リング部１０１から径方向内側へ延設されて接点カバー５の前端面のうち内周型の内側端面部６２とステーショナリコア１２の後端面（外端面）との間に介設される薄肉の内側延在部１０２とからなる。シールリング１００の内側延在部１０２は、図４に示すように、シールリング１００の外側リング部１０１よりも軸方向両側から凹んで形成されている。
【００３０】
つまり、接点カバー５の外側端面部６０、６１とは、接点カバー５のステーショナリコア１２側の一端面のうち、内部シールのためにシールリング１００の外側リング部１０１を軸方向に圧縮する部分であり、接点カバー５の内側端面部６２とは、接点カバー５のステーショナリコア１２側の一端面のうち、接点室４及びコイル引き出し線孔５１、５２をシールするためにシールリング１００の外側リング部１０１を軸方向に圧縮せず、シールリング１００の内側延在部１０２に対面する部分を言う。
【００３１】
図３からわかるように、内側延在部１０２は、実質的に２つの部分に分割されており、内側延在部１０２のこれら二つの部分は、ターミナル孔５１、５２の周囲を囲むために径方向内側に膨らんだシールリング１００の一対の外側リング部１０１をそれぞれ個別に接続している。また、シールリング１００は、接点カバー５の4つの突部５３〜５6が貫通するための孔１０３〜１０６を有している。
【００３２】
接点カバー５の4つの突部５３〜５６はこれらシールリング１００の孔１０３〜１０６を個別に貫通してステーショナリコア１２の後端面に当接しており、突部５７〜５９は、シールリング１００の接点室用孔部を貫通して、可動接点部材３の位置決めをしている。また、位置決め孔１０３〜１０６はこれら外側リング部１０１と内側延在部１０２とにより囲繞されている。
【００３３】
（動作説明）
上記説明したスタータ用マグネットスイッチの作動を説明する。図示しないIGキーの投入により励磁コイルに通電されると、図１に示す初期位置からプランジャがリターンスプリング１４を押し縮めながら吸引されて後退し、プランジャ軸２及び可動接点部材３も後退し、可動接点部材３は一対の固定接点部材６、７に当接する。可動接点部材３が固定接点部材６、７に当接した後、プランジャは接点スプリング１９を押し縮めながら更に後退し、サブステーショナリコア１２ａの前端面に当接してプランジャの後退は停止する。接点スプリング１９は可動接点部材３に固定接点部材６、７へ向けての押接圧力を付与する。これにより、マグネットスイッチは閉成されてバッテリからスタータモータに給電される。エンジン始動後、励磁コイルへの通電がOFF されて磁力が消滅すると、リターンスプリング１４はプランジャを元の位置に押し戻す。この時、可動接点部材３は固定接点部材６、７から離れてマグネットスイッチが遮断される。
【００３４】
（実施例効果）
このようにすれば、シールリング１００の内側延在部１０２は、接点カバー５の内側端面部５８とステーショナリコア１２の後端面との間に介設されるものの、外側リング部１０１よりも厚さが薄いため、組み付けの際に外側リング部１０１ほど強く軸方向へ圧縮する必要がない。したがって、組み付けにおけるかしめ時に接点カバー５をシール性を悪化させることなくスイッチ本体部１に押しつける力を減らすことができる。このシールリング１００の内側延在部１０２は、外側リング部１０１の径方向内側に膨らんだ２つの部分を連ねて全体としてパッキンシート形状に構成されるため、組み付け時のハンドリングに際してシールリング１００が望ましくない形状に変形するのを良好に防止することができる。これにより、シールリング１００の組み付け作業が容易になり、優れた作業性を得ることができる。
【００３５】
また、シールリング１００の所定形状を維持しつつその組み付けが確実にできるので、シールリング１００が不所望な形状に圧縮されてシール性能が低下することはない。
【００３６】
また、シールリング１００の内型延在部１０２は、径内向きの湾曲部として径方向内側に膨らんだ外側リング部１０１の部分同士を連ねるように形成されているので、少ない量の内型延在部１０２によりシールリング１００の形状をシート状に近くすることができ、上記した効果を一層向上することができる。
【００３７】
また、シールリング１００の内側延在部１０２は、径内向きの湾曲部として径方向内側に膨らんだ外側リング部１０１の部分とともにシールリング１００の全周にわたって囲んで配置されているので、シールリング１００の形状を一層シート形状とすることができる、その形状変形を良好に抑止することができる。
【００３８】
また、シールリング１００の内側延在部１０２は、その両面ともシールリング１００の外側リング部１０１よりも窪んでいるので、シールリング１００の裏、表を気にすることなく、シールリングを組み付けることができる。
【００３９】
また、外側リング部１０１の径内向きに膨らんだ部分は。セッテンカバー５の各種孔部を囲繞して形成されているので、これら孔部のシールを確保するとともに、内側延在部１０２の節約を実現することができる。
【００４０】
（変形態様）
上記実施例では、接点カバー５をステーショナリコア１２に押しつけつつヨーク１１の開口近傍をかしめる際の接点カバー５の軸方向押しつけ力を低減するためにシールリング１００の内側延在部１０２を軸方向に薄肉化したが、その代わりに、接点カバー５の前端面のうち、シールリング１００の外側リング部１０１に当接する部分及び突部５３〜５６以外の部分、すなわち接点カバー５の内側端面部５８を、上記したシールリング１００の外側リング部１０１からの内側延在部１０２の軸方向窪み量だけ窪ませても同様の効果を奏することができる。
【図面の簡単な説明】
【００４１】
【図１】実施例のスタータ用マグネットスイッチの部分破断側面図である。
【図２】図１の接点カバーの正面図である。
【図３】図１のシールリングの正面図である。
【図４】図１のシールリングの側断面図である。
【図５】従来のシールリングの正面図である。
【図６】従来のシールリングの側断面図である。
【符号の説明】
【００４２】
１      スイッチ本体部
２      プランジャ軸
３      可動接点部材
４      接点室
５      接点カバー
６      固定接点部材
９      ボビン
１１      ヨーク
１２      ステーショナリコア
１２ａ      サブステーショナリコア
１４      リターンスプリング
１８      ブッシュ
１９      接点スプリング
２０      ワッシャ
５０      前端面
５３〜５６      突部
５７      外側端面部
５８      内側端面部
１００      シールリング
１０１      外側リング部
１０２      内側延在部
１０３〜１０６    位置決め孔
【図１】
2006170099.tif 000003
【図２】
2006170099.tif 000004
【図３】
2006170099.tif 000005
【図４】
2006170099.tif 000006
【図５】
2006170099.tif 000007
【図６】
2006170099.tif 000008